(57)【特許請求の範囲】
【請求項１】
中空二重管の内管内および内管と外管との間にそれぞれ芯金を挿入して曲げダイスにより曲げ加工を行う中空二重管の曲げ加工方法において、上記内管の一端部を除く略全長を予め断面略長円形に形成して外管内に挿入固定し、その内管と外管との間に舌片状の中間芯金を配置すると共に、先端部に断面略長円形の成形芯金を有する内部芯金を内管内に挿入したのち上記成形芯金を約９０度回動して該成形芯金の長軸方向が曲げダイスの半径方向に向いた状態で上記曲げダイスを回動して上記内外管の曲げ加工を行った後、上記内外管を上記内部芯金および成形芯金に対して相対移動させることによって上記曲げ加工部をも含めて上記成形芯金により断面長円形の内管の短軸方向の周面を拡径して外管と略同心状の円形状に成形するようにしたことを特徴とする中空二重管の曲げ加工方法。
【請求項２】
中空二重管の内管内および内管と外管との間にそれぞれ芯金を挿入して曲げ開始位置近傍に配置し、上記中空二重管を曲げダイスにより曲げ加工を行う中空二重管の曲げ加工装置において、上記内外管間に配置される芯金を舌片状に形成すると共に、上記内管内に配置される芯金の先端部に断面略長円形の成形芯金を屈折可能に且つ上記曲げ加工時に上記成形芯金の長軸方向が曲げダイスの半径方向に向いた状態となるように上記内管内に配置される芯金に対して約９０度回動可能に設けたことを特徴とする中空二重管の曲げ加工装置。
【発明の詳細な説明】
【０００１】
【発明の属する技術分野】
本発明は例えば自動車等の内燃機関の排気管などに使用する中空二重管の曲げ加工方法および装置に関する。
【０００２】
【従来の技術】
上記のような中空二重管の曲げ加工装置は、従来種々提案されており、従来は例えば内管内に棒状の内部芯金を、また内外管間に筒状芯金をそれぞれ挿入し、その内外管間の間隔を一定に保ったままで曲げダイスにより所定の角度に曲げ加工を施すようにしている（例えば、本出願人が先に提案した特開平１０−７１４３０号公報等参照）。
【０００３】
ところが最近の排気管等に用いる中空二重管は、軽量化や小型コンパクトに構成するために、内外管の間隔をなるべく狭くすることが求められている。そのため、内外管に配置する筒状芯金も必然的に肉厚を薄くせざるを得ないが、あまり薄いと筒状芯金が変形もしくは破損して良好に曲げ加工を施すことができない等の問題があった。
【０００４】
【発明が解決しようとする課題】
本発明は上記従来の問題点に鑑みて提案されたもので、内外管の間隔が狭く肉厚の薄い中空二重管にあっても良好に曲げ加工を施すことのできる中空二重管の曲げ加工方法および装置を提供することを目的とする。
【０００５】
【課題を解決するための手段】
上記の目的を達成するために本発明による中空二重管の曲げ加工方法および装置は、以下の構成としたものである。
【０００６】
即ち、本発明による中空二重管の曲げ加工方法は、中空二重管の内管内および内管と外管との間にそれぞれ芯金を挿入して曲げダイスにより曲げ加工を行う中空二重管の曲げ加工方法において、上記内管の一端部を除く略全長を予め断面略長円形に形成して外管内に挿入固定し、その内管と外管との間に舌片状の中間芯金を配置すると共に、先端部に断面略長円形の成形芯金を有する内部芯金を内管内に挿入したのち上記成形芯金を約９０度回動して該成形芯金の長軸方向が曲げダイスの半径方向に向いた状態で上記曲げダイスを回動して上記内外管の曲げ加工を行った後、上記内外管を上記内部芯金および成形芯金に対して相対移動させることによって上記曲げ加工部をも含めて上記成形芯金により断面長円形の内管の短軸方向の周面を拡径して外管と略同心状の円形状に成形するようにしたことを特徴とする。
【０００７】
また本発明による中空二重管の曲げ加工装置は、中空二重管の内管内および内管と外管との間にそれぞれ芯金を挿入して曲げ開始位置近傍に配置し、上記中空二重管を曲げダイスにより曲げ加工を行う中空二重管の曲げ加工装置において、上記内外管間に配置される芯金を舌片状に形成すると共に、上記内管内に配置される芯金の先端部に断面略長円形の成形芯金を屈折可能に且つ上記曲げ加工時に上記成形芯金の長軸方向が曲げダイスの半径方向に向いた状態となるように上記内管内に配置される芯金に対して約９０度回動可能に設けたことを特徴とする。
【０００８】
【発明の実施の形態】
以下、本発明による中空二重管の曲げ加工方法および装置を、図に示す実施形態に基づいて具体的に説明する。
【０００９】
図１は本発明による曲げ加工装置の一実施形態を示す横断平面図、図２はその右側面図、図３は図１におけるＡ−Ａ線断面図である。
【００１０】
本実施形態の曲げ加工装置は、基台１上の回動支軸１ａを中心に回動可能に設けた平面略円形の曲げダイス２と、その曲げダイス２に形成した接線方向に突出する突出部２ａに脱着可能に設けた固定用ダイス３と、上記曲げダイス２の近傍にそれと接するようにして上記基台１上に配置固定したシュー４と、そのシュー４に対して脱着可能に取付けた案内ダイス５等よりなり、上記曲げダイス２と固定用ダイス３との間に中空二重管１０を挟んで固定すると共に、上記シュー４と案内ダイス５との間に上記中空二重管１０を挟んで摺動可能に保持させる構成である。
【００１１】
上記中空二重管１０の内管１１としては、その一端側１１ａを除く略全長を予め断面略長円形１１ｂに形成したものを用いるもので、その長円形部分１１ｂの形成方法等は適宜であるが、例えば図４（Ａ）に示すように全体を断面円形に形成した内管１１の一端部１１ａを除く略全長を、図に省略したプレス機等で直径方向両側から押圧して同図（Ｂ）のように断面長円形に形成すればよい。そのようにして断面長円形に形成した内管１１の外側には、同図（Ｃ）のように外管１２を嵌合して、それら両管を相対的に位置固定するもので、その固定手段は適宜であるが本実施形態においては、内管１１の一端側１１ａの端縁１１ｃを拡径して外管内面に添わせ、その接合部を溶接によって一体的に固着した構成である。
【００１２】
上記の中空二重管１０を曲げ加工するに当たっては、内管１１の長円形部１１ｂ内に内部芯金６を、また上記長円形部１１ｂの短軸方向両側の内管１１と外管１２との間には一対の中間芯金７ａ・７ｂをそれぞれ配置するもので、上記内部芯金６は内管１１の長円形部１１ｂ内に丁度嵌る大きさの断面略長円形状に形成され、中間芯金７ａ・７ｂは上記長円形部１１ｂの短軸方向両側の内管１１と外管１２との間、より詳しくは内管短軸側と外管との間の間隔が広い部分の空間断面形状に合わせて図３に示すように断面略円弧状に形成されている。
【００１３】
上記中間芯金７ａ・７ｂは、図１に示すように、その後端部（図で左側）を基台１上に固定して設けた支持部材８に連結固定し、内部芯金６は連結ロッド６０を介して上記固定支持部材８に連結固定する構成である。その固定支持部材８に上記両芯金６，７ａ，７ｂを連結固定した状態において、その各芯金は図１に示すように前記曲げダイス２による曲げ開始位置Ｌの近傍に常時位置し、各芯金６，７ａ，７ｂの前端部は上記位置Ｌよりも前側（図で右側）に突出するように構成されている。
【００１４】
上記各中間芯金７ａ，７ｂの前端部の曲げ方向外側には、それぞれ面取り部７１が形成され、その各面取り部７１は内外管１１・１２の最終曲げ形状と略同一の曲面形状に形成されている。すなわち、曲げ方向内側に位置する中間芯金７ｂの面取り部７１は、内管１１の外周面の最終曲げ形状と略同一の曲面形状に形成され、曲げ方向外側に位置する中間芯金７ａの面取り部７１は、外管１２の内周面の最終曲げ形状と略同一の曲面形状に形成されている。
【００１５】
また内部芯金６の前端部は滑らかな曲面形状に形成され、その前端部には内管１１の前記長円形部１１ｂを曲げ加工する補助芯金６１と、上記長円形部１１ｂを略円形に成形加工する成形芯金６２とが順に数珠状に設けられている。その補助芯金６１は、内管１１の長円形部１１ｂ内に丁度嵌る大きさの断面略長円形状に形成され、該補助芯金６１の前記曲げ方向内側および外側の面は滑らかな曲面形状に形成されている。また上記成形芯金６２は、上記長円形部１１ｂ内を挿通可能な断面略長円形に形成され、その長軸方向両側の面は内管１１の前記一端側１１ａの円形部内周面と同径の円弧状曲面に形成されている。
【００１６】
上記内部芯金６と補助芯金６１および成形芯金６２との連結構造は適宜であるが、本実施形態においては、図５（ａ）に示すように内部芯金６と補助芯金６１とはリンク６３および連結ピン６４・６５とで屈折可能に連結され、成形芯金６２は上記連結ピン６５に一端を回動可能に連結したロッド６６を介して上記補助芯金６１および内部芯金６に対して屈折可能に連結すると共に、成形芯金６２に形成した孔６２ａに上記ロッド６６を摺動可能に嵌合することによって上記補助芯金６１および内部芯金６に対して回動可能に連結されている。図中、６７は上記ロッド６６に対する成形芯金６２の抜け止め兼回動範囲規制用の係止ピン、６２ｂはその係止ピン６７が摺動する円弧状長孔で、その長孔の範囲内において上記成形芯金６２は上記補助芯金６１および内部芯金６に対して約９０度回動可能である。
【００１７】
また前記内外管１１・１２を曲げ加工装置に装着した状態において、その内外管１１・１２の後端部には、図１に示すように曲げ加工時に内管１１を外管１２と共に曲げダイス２側に同時に送り出すための送り部材９を設けるとよく、その送り部材９は、本実施形態においては外管１２の端部外周面に嵌合固着する上下２つ割りの固定部材９１・９２と、その両固定部材９１・９２に形成した孔９１ａ・９２ａに両端部９３ａを貫通させて連結保持した内管押板９３等よりなる。
【００１８】
その内管押板９３は図１および図３に示すように前記一対の中間芯金７ａ・７ｂ間に位置し、その内管押板９３の中央部には前記内部芯金６の連結ロッド６０を挿通する摺動可能な貫通孔９３ａが形成されている。その内管押板９３を内管１１の後端部に当接させた状態で上記両固定部材９１・９２を外管１２の後端部外周面に被せ、その両固定部材９１・９２間に外管１２を挟んで一対のボルト９４で締付けることによって上記両固定部材９１・９２および内管押板９３を外管１２に一体的に固着する構成である。
【００１９】
上記の構成において、中空二重管１０を曲げるに当たっては、先ず、内部芯金６の連結ロッド６０および中間芯金７ａ・７ｂの後端部を支持部材８に連結固定すると共に、上記送り部材９のボルト９４を弛め、かつ固定用ダイス３を外した状態で、前記図６（Ａ）のように一端部を除く略全長を断面長円形に形成した内管１１と、その内管１１の外周に嵌合固着した外管１２とを曲げダイス２の所定の位置にセットする。
【００２０】
その際、内外管１１・１２間には中間芯金７ａ・７ｂを挿入し、内管１１内には内部芯金６およびそれに連結した補助芯金６１および成形芯金６２を挿入するもので、その成形芯金６２は前述のように断面長円形に形成されており、その長軸方向が内管１１の長円形部分１１ｂの長軸方向と平行となるように向きを揃えて挿入すればよい。
【００２１】
そして上記内外管１１・１２が図６（Ａ）のように所定の位置にセットされたところで、同図（Ｂ）のように成形芯金６２を手動もしくは工具等で約９０度回動して該成形芯金６２の長軸方向が曲げダイス２の曲げ方向すなわち曲げダイスの半径方向に向いた状態となるようにする。その状態で、固定用ダイス３を取付け、送り部材９の内管押板９３を内管１１の後端部に当接させた状態でボルト９４を締め付けることによって前記図１の状態にセットされる。
【００２２】
次いで、上記図１の状態から曲げダイス２を固定用ダイス３と共に図中矢印ａ方向に回動すると、中空二重管１０の外管１２が同方向に徐々に引き寄せられ、その外管１２の後端部に固着した送り部材９も外管１２とともにダイス２側に移動する。それに伴って上記送り部材９の内管押板９３により内管１１も同方向に押されて外管１２と一体に曲げダイス２側に徐々に送り出されながら、曲げダイス２と、内部芯金６・補助芯金６１および中間芯金７ａ・７ｂによって内外管１１・１２が図７のように曲げダイスに沿って円弧状に湾曲形成される。
【００２３】
特に中間芯金７ａ・７ｂの前端部に、前記図１のように曲げ開始位置Ｌよりも前方に突出し、内外管１１・１２の最終曲げ形状と略同一形状の面取り部７１を形成すると、内外管１１・１２にしわ等が発生することなく良好に曲げ加工を施すことができる。又そのとき上記内外管１１・１２の曲げダイス２に沿う引っ張り回動動作に伴って内管１１の長円形部分１１ｂは前記成形芯金６２によって順次外管１２と略同心状の円形形状に成形されていく。
【００２４】
そして図７のように内外管１１・１２の所定の角度の曲げ加工が終了したところで、図８に示すように固定用ダイス３を外し、送り部材９のボルト９４を弛めて、内外管１１・１２を手動もしくは図に省略した引っ張り機構等によって図８の矢印ｂ方向に引き抜くと、内管１１の残りの長円形部分１１ｂが成形芯金６２によって順次円形形状に形成され、図９のように内外管１１・１２との間隔が略全長にわたって一定の同心状の屈曲した中空二重管が得られるものである。
【００２５】
つまり、本発明は中間芯金７ａ・７ｂの肉厚をかせぐために、内管を断面長円形に変形させて内外管１１・１２の隙間を増やした状態で内外管１１・１２間および内管１１内に、上記中間芯金７ａ・７ｂおよび内部芯金６を挿入して曲げ加工を行い、加工後に成形芯金６２により内管１１を所定の円形形状に戻すものである。また内管１１の長円形状から略真円への変化は周長をほぼ同じにすることで、内管１１に無理な力が掛かることなく成形でき、曲げ加工後は芯金から内外管を相対的に抜き取る作業で同時に容易に成形できるものある。
【００２６】
なお上記実施形態は、成形芯金６２を図６（Ａ）の状態から同図（Ｂ）の状態に手動もしくは工具等で回動するようにしたが、例えば前記ロッド６６と成形芯金６２の孔６２ａとの間に螺旋状のカム等を設けて、内外管１１・１２を曲げる際の内管１１と成形芯金６２との接触摩擦力で成形芯金６２が図６（Ａ）の状態から同図（Ｂ）の状態に自動的に回動するようにしてもよい。
【００２７】
あるいは上記ロッド６６と成形芯金６２との間にバネ等を設けて、自由状態において成形芯金６２が常時図６（Ｂ）の状態となるように回動付勢し、内外管１１・１２を装着する際には、内管１１の長円形部分１１ｂを成形芯金６２に嵌めて該長円形部分１１ｂと成形芯金６２の長軸方向が内部芯金６の長軸方向と揃うように回動して装着する。そして内外管１１・１２を図６（Ａ）の状態にセットしたとき成形芯金６２が上記のバネ等によって図６（Ｂ）の状態に自動的に回動するように構成することもできる。
【００２８】
【発明の効果】
以上説明したように本発明による中空二重管の曲げ加工方法および装置は、中空二重管の内管を、その一端部を除いて予め断面略長円形に形成して外管内に挿入固定し、その長円形内管と外管との間に略舌片状の中間芯金を、また内管内には、先端部に断面略長円形の成形芯金を有する内部芯金を、それぞれ挿入した状態で曲げダイスにより曲げ加工を行うと共に、上記内外管を引き抜くことによって上記長円形の内管を成形芯金により外管と略同心状の円形状に成形するようにしたから、内外管１１・１２の間隔が狭く内外管１１・１２間に前記従来例のような筒状芯金を用いることができない場合にも略同心状で所定の角度屈曲した中空二重管を容易に製造することができるものである。
【図面の簡単な説明】
【図１】本発明による曲げ加工装置の一実施形態を示す横断平面図。
【図２】上記曲げ加工装置の右側面図。
【図３】図１におけるＡ−Ａ線断面図。
【図４】（Ａ）〜（Ｃ）は曲げ加工用内外管の準備工程の一例を示す横断平面図。
（Ａ１）〜（Ｃ１）はその左側面図。
（Ａ２）〜（Ｃ２）はその右側面図。
【図５】（Ａ）は補助芯金および成形芯金の連結構造を示す一部横断平面図。
（Ｂ）は（Ａ）におけるＢ−Ｂ線断面図。
【図６】（Ａ）は曲げ加工装置に中空二重管を装着する状態の横断平面図。
（Ｂ）は曲げ加工装置に中空二重管を装着した状態の横断平面図。
【図７】上記曲げ加工装置による加工状態の横断平面図。
【図８】曲げ加工した中空二重管を加工装置から引き抜く状態の横断平面図。
【図９】（Ａ）は曲げ加工終了後の中空二重管の横断平面図。
（Ｂ）は（Ａ）におけるＢ−Ｂ線断面図。
【符号の説明】
１  基台
２  曲げダイス
３  固定用ダイス
４  シュー
５  案内ダイス
６  内部芯金
６１  補助芯金
６２  成形芯金
７  中間芯金
８  固定支持部材
９  送り部材
１０  中空二重管
１１  内管
１２  外管
【図１】
0003943958.tif 000002
【図２】
0003943958.tif 000003
【図３】
0003943958.tif 000004
【図４】
0003943958.tif 000005
【図５】
0003943958.tif 000006
【図６】
0003943958.tif 000007
【図７】
0003943958.tif 000008
【図８】
0003943958.tif 000009
【図９】
0003943958.tif 000010